(57)【要約】【課題】遊技者の興味を引きやすく、遊技の興趣性を向上させることができる入賞装置、およびその入賞装置を備える弾球遊技機を提供する。【解決手段】上下方向に貫通開口して遊技球が通過可能な入賞口を有し、その入賞口を通過する遊技球を検出する入賞センサ５２と、入賞センサ５２の下方位置に設けられ、前後方向に貫通開口した第１排出口５１ｂおよび前記入賞口を通過した遊技球を第１排出口５１ａに導くカバー部材５３を有し、前記入賞口を通過した遊技球を第１排出口５１ａから遊技盤の後面側に排出する第１排出機構と、入賞センサ５２と第１排出口５１ａの間の位置に設けられ、前後方向に貫通開口した第２排出口５１ｂおよび第２排出口５１ｂを開閉する開閉扉５４を有し、開閉扉５４が第２排出口５１ｂを開いたときに前記入賞口を通過した遊技球を受け止めて第２排出口５１ｂから遊技盤の後面側に排出する第２排出機構とを備える。【選択図】図５
2015208432.tif 000002
【特許請求の範囲】
【請求項１】
遊技盤の前面に形成された遊技領域内に遊技球を発射して遊技を行う弾球遊技機において、前記遊技領域内に設けられる入賞装置であって、
上下方向に貫通開口して遊技球が通過可能な入賞口を有し、前記入賞口を通過する遊技球を検出する入賞検出器と、
前記入賞検出器の下方位置に設けられ、前後方向に貫通開口した第１排出口および前記入賞口を通過した遊技球を前記第１排出口に導く誘導部材を有し、前記入賞口を通過した遊技球を前記第１排出口から前記遊技盤の後面側に排出する第１排出機構と、
前記入賞検出器と前記第１排出口の間の位置に設けられ、前後方向に貫通開口した第２排出口および前記第２排出口を開閉する開閉部材を有し、前記開閉部材が前記第２排出口を開いたときに前記入賞口を通過した遊技球を受け止めて前記第２排出口から前記遊技盤の後面側に排出する第２排出機構とを備えることを特徴とする弾球遊技機の入賞装置。
【請求項２】
前記誘導部材は、前記入賞口の側方の位置に設けられ上方に向けて開口した流入口を有し、前記流入口から入った遊技球も前記第１排出口に導くように構成され、
前記第２排出機構は、前記開閉部材が前記第２排出口を開いたときに前記流入口から入った遊技球も受け止めて前記第２排出口から前記遊技盤の後面側に排出するように構成されることを特徴とする請求項１に記載の入賞装置。
【請求項３】
前記第１排出機構は、前記第１排出口から前記遊技盤の後面側に排出される遊技球を検出する第１排出球検出器を有し、
前記第２排出機構は、前記第２排出口から前記遊技盤の後面側に排出される遊技球を検出する第２排出球検出器を有することを特徴とする請求項１または２に記載の入賞装置。
【請求項４】
前記開閉部材は、抽選結果が当たりとなったときに開く大入賞装置の開閉部材と連動して前記第２排出口を開閉することを特徴とする請求項１〜３のいずれかに記載の入賞装置。
【請求項５】
請求項１〜４のいずれかに記載の入賞装置を備えることを特徴とする弾球遊技機。
【発明の詳細な説明】
【技術分野】
【０００１】
本発明は、遊技盤の前面に形成された遊技領域内に設けられる普通入賞装置およびその普通入賞装置を備える弾球遊技機に関する。
【背景技術】
【０００２】
弾球遊技機の代表例であるぱちんこ遊技機は、遊技盤に形成された遊技領域内に発射装置により遊技球を発射して遊技領域内を落下移動させ、その落下移動の途中で遊技領域内に設けられた入賞装置（入賞口）に遊技球を入賞させ、これに応じた賞球を獲得できるように構成されている。このような入賞装置としては、始動入賞装置、普通入賞装置（一般入賞装置）および大入賞装置等が設けられている。ぱちんこ遊技機では、始動入賞装置に遊技球が入賞したことを契機として抽選が行われ、抽選結果が大当たりとなった場合に特別遊技状態を成立させるように構成されている。特別遊技状態においては、大入賞装置の大入賞口を開放して遊技球の入球を可能とし、大入賞口への入賞に応じて遊技者が大量の賞球を獲得できるようになっている。また、普通入賞装置に遊技球が入賞した場合にも、所定数の賞球を獲得できるようになっている（例えば、特許文献１を参照）。
【先行技術文献】
【特許文献】
【０００３】
【特許文献１】特開２０１２‐６６０２８号公報
【発明の概要】
【発明が解決しようとする課題】
【０００４】
ところで、上記のように、始動入賞装置および大入賞装置は、遊技球に入賞に応じて大量の賞球を獲得し得る可能性があり、また遊技演出に応じて作動するものも多くあるため、遊技者の興味を引きやすい。一方、普通入賞装置は、獲得できる賞球の数が大入賞装置よりも少なく、また遊技演出に応じて作動するものも少ないため、大入賞装置等と比べると関心が低くなっている。そこで、普通入賞装置に対する遊技者の関心も高められれば、遊技の興趣性を向上させることができるため、そのような方策が求められている。
【０００５】
本発明は、このような課題に鑑みてなされたものであり、遊技者の興味を引きやすく、遊技の興趣性を向上させることができる入賞装置、およびその入賞装置を備える弾球遊技機を提供することを目的とする。
【課題を解決するための手段】
【０００６】
このような目的達成のために、本発明に係る弾球遊技機の入賞装置は、遊技盤の前面に形成された遊技領域内に遊技球を発射して遊技を行う弾球遊技機において、前記遊技領域内に設けられる入賞装置（例えば、実施形態における普通入賞装置５０）であって、上下方向に貫通開口して遊技球が通過可能な入賞口（例えば、実施形態における普通入賞口５２ａ）を有し、前記入賞口を通過する遊技球を検出する入賞検出器（例えば、実施形態における普通入賞センサ５２）と、前記入賞検出器の下方位置に設けられ、前後方向に貫通開口した第１排出口および前記入賞口を通過した遊技球を前記第１排出口に導く誘導部材（例えば、実施形態におけるカバー部材５３（ガイド部材５７））を有し、前記入賞口を通過した遊技球を前記第１排出口から前記遊技盤の後面側に排出する第１排出機構と、前記入賞検出器と前記第１排出口の間の位置に設けられ、前後方向に貫通開口した第２排出口および前記第２排出口を開閉する開閉部材（例えば、実施形態における開閉扉５４）を有し、前記開閉部材が前記第２排出口を開いたときに前記入賞口を通過した遊技球を受け止めて前記第２排出口から前記遊技盤の後面側に排出する第２排出機構とを備える。
【０００７】
また、上記目的達成のために、本発明に係る弾球遊技機は、上記構成の入賞装置を備える。
【発明の効果】
【０００８】
本発明によれば、入賞装置に対する遊技者の関心を高めることができ、遊技の興趣性を向上させることができる。
【図面の簡単な説明】
【０００９】
【図１】本実施形態に係る入賞装置を備えたぱちんこ遊技機の斜視図である。
【図２】上記ぱちんこ遊技機の背面図である。
【図３】上記ぱちんこ遊技機を構成する遊技盤の正面図である。
【図４】上記遊技盤の一部を拡大した斜視図である。
【図５】上記入賞装置を示す図であり、（ａ）は正面図、（ｂ）はカバー部材を取り外した状態の正面図である。
【図６】上記入賞装置を示す図であり、（ａ）は左上方から見た斜視図、（ｂ）は右上方から見た斜視図である。
【図７】上記入賞装置のカバー部材を取り外した状態を示す図であり、（ａ）は左上方から見た斜視図、（ｂ）は右上方から見た斜視図である。
【図８】図５（ａ）に示す矢印VIII-VIIIにおける部分の断面図である。
【図９】上記入賞装置に流入した遊技球の経路を示す図であり、（ａ）は開閉扉が閉じた状態の断面図、（ｂ）は開閉扉が開いた状態の断面図である。
【発明を実施するための形態】
【００１０】
以下、本発明の好ましい実施形態について図面を参照して説明する。本発明に係る入賞装置を備えた弾球遊技機の代表例として、ぱちんこ遊技機ＰＭの斜視図および背面図を図１および図２に示しており、まず、これらの図を参照してぱちんこ遊技機ＰＭの全体構成について説明する。
【００１１】
［ぱちんこ遊技機の全体構成］
始めに、図１を参照しながら、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１２】
前枠２には、この前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。前枠２には、遊技盤１０が着脱可能にセット保持され、常には閉鎖保持されるガラス枠５の複層ガラス５ａを通して遊技盤１０の正面の遊技領域ＰＡを視認可能に臨ませるようになっている。
【００１３】
ガラス枠５の下部には遊技球を貯留する上下の球皿（上球皿６ａおよび下球皿６ｂ）が設けられ、下球皿６ｂの正面右側には遊技球の発射操作を行う発射ハンドル７が設けられている。ガラス枠５の前面側には、発光ダイオード（ＬＥＤ）やランプ等の電飾装置８や、遊技の展開状態に応じて効果音を発生させるスピーカ９が設けられている。
【００１４】
続いて、図２を参照しながら、ぱちんこ遊技機ＰＭの背面側の基本構造を説明する。前枠２の背面側には、中央に前後連通する窓口を有して前枠２よりも幾分小型の矩形枠状に形成された基枠体をベースとしてなる裏セット盤３０が、上下のヒンジ機構３を介して前枠２後方に横開き開閉および着脱が可能に連結されている。この裏セット盤３０には、前面開放の矩形箱状をなす裏セットカバー３０Ｃが着脱自在に装着されており、常には前枠２に取り付けられた遊技盤１０の裏面側を覆って配設されている（これにより後述する主制御基板ケースユニット１００および演出制御基板ケースユニット２００が裏セットカバー３０Ｃにより覆われる）。
【００１５】
裏セット盤３０の各部には、多数個の遊技球を貯留する球貯留タンク３１、球貯留タンク３１から右方に緩やかな下り傾斜を有して延びるタンクレール３２、タンクレール３２の右端部に繋がり下方に延びる球供給通路部材３３、球供給通路部材３３により導かれた遊技球を払い出す賞球払出ユニット３４、賞球払出ユニット３４から払い出された遊技球を上球皿６ａに導くための賞球通路部材３５などが設けられている。
【００１６】
遊技盤１０の背面側には、ぱちんこ遊技機ＰＭの作動を統括的に制御する主制御基板４１（主制御基板ケースユニット１００）や、遊技展開に応じた画像表示、効果照明、効果音等の演出全般の制御を行う演出制御基板４２（演出制御基板ケースユニット２００）などが取り付けられている。これに対して、裏セット盤３０の背面側には、遊技球の発射および払い出しに関する制御を行う払出制御基板４３（払出制御基板ケースユニット３００）や、遊技施設側から受電して各種制御基板や電気・電子部品に電力を供給する電源基板４４（電源基板ケースユニット４００）などが取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００１７】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル７を回動操作することにより遊技が開始される。発射ハンドル７が回動操作されると、上球皿６ａに貯留された遊技球が、ガラス枠５の背面側に配設される球送り機構によって１球ずつ発射機構に送り出され、発射機構により遊技盤１０の正面の遊技領域ＰＡに打ち出されて、以降パチンコゲームが展開される。
【００１８】
［遊技盤および入賞装置の構成］
次に、本実施形態に係る遊技盤１０および遊技盤１０に設けられた入賞装置の構成について図３〜図８を用いて説明する。なお、以降の説明においては、説明の便宜のため、上下、前後および左右の方向は図３および図４の状態を基準にして定義し、図３および図４に示す矢印の方向をそれぞれ上下方向、前後方向および左右方向と称して説明する。
【００１９】
遊技盤１０は、図３および図４に示すように、積層合板もしくは透明樹脂材料を用いて板状に形成され、遊技盤１０の前面に取り付けられた不図示のレール部材により囲まれて略円形状の遊技領域ＰＡが形成される。遊技領域ＰＡの略中央部には、遊技盤１０を前後に貫通した第１取付穴１１ａが形成され、この第１取付穴１１ａに不図示のセンター飾りおよび遊技の進行状況に応じて所定の画像が表示される演出表示装置が設けられる。第１取付穴１１ａの下方位置には、遊技盤１０を前後に貫通した第２取付穴１１ｂが形成され、この第２取付穴１１ｂに始動入賞装置１５および大入賞装置１６が設けられる。
【００２０】
大入賞装置１６は、詳細な図示を省略しているが、大入賞口およびこの大入賞口を開閉する開閉部材を有し、始動入賞装置１５に遊技球が入賞したことを契機として行われる抽選の結果が大当たりとなって特別遊技状態が成立したときに、開閉部材が大入賞口を開放するように作動し、大入賞口に遊技球が流入可能となるように構成されている。
【００２１】
遊技領域ＰＡの右下部には、遊技盤１０を前後に貫通した第３取付穴が形成され、この第３取付穴に普通入賞装置５０が設けられている。なお、本実施形態では、普通入賞装置５０が不図示のレール部材に隣接して設けられている。遊技領域ＰＡの中央下端部には、いずれの入賞装置にも入賞（落入）することなく落下した遊技球を遊技盤１０の後面側に排出するためのアウト口１２が遊技盤１０を前後に貫通して形成されている。また、図３および図４では図示を省略しているが、遊技領域ＰＡには、多数本の遊技釘および風車などの遊技構成部品が設けられる。
【００２２】
普通入賞装置５０は、図５〜図８に示すように、遊技盤１０の前面に取り付けられる板状のベース部材５１と、上下に貫通開口して遊技球が通過可能な普通入賞口５２ａを有する普通入賞センサ５２と、ベース部材５１の前面に取り付けられるカバー部材５３とを有して構成されている。なお、図５（ｂ）および図７は、カバー部材５３をベース部材５１から取り外した状態の図である。
【００２３】
ベース部材５１は、樹脂材料を用いて板状に形成されており、ベース部材５１の下部には、ベース部材５１を前後に貫通した横長矩形状の第１排出口５１ａが形成されている。また、第１排出口５１ａの上方位置には、ベース部材５１を前後に貫通した横長矩形状の第２排出口５１ｂが形成されている。ベース部材５１には、第２排出口５１ｂを開閉可能な開閉扉５４が設けられている。
【００２４】
開閉扉５４は、第２排出口５１ｂと略同じ大きさの横長矩形板状に形成され、開閉扉５４の左右下端部が第２排出口５１ｂの左右下端部に枢結され、この枢結部を中心に揺動自在に設けられている。ベース部材５１の後面には、開閉扉５４を揺動させるためのソレノイド等からなる駆動機構５５が設けられている。開閉扉５４は、駆動機構５５により略垂直となるように揺動されると、第２排出口５１ｂ全体を閉鎖して第２排出口５１ｂに遊技球が流入することを規制する。また、この閉鎖状態から前方に揺動されると、第２排出口５１ｂを開放して第２排出口５１ｂに遊技球が流入することを許容するようになっている。
【００２５】
普通入賞センサ５２は、第２排出口５１ｂの上方位置に普通入賞口５２ａが配置されるようにベース部材５１に取り付けられている。普通入賞センサ５２は、普通入賞口５２ａを通過する遊技球を検出する通過型検出器であり、遊技球の通過を検出すると、主制御基板４１に普通入賞信号を送信するように構成されている。なお、主制御基板４１では、普通入賞信号を受信すると、払出制御基板４３に払出制御信号を送信して賞球払出ユニット３４により所定数の遊技球を払い出す制御が行われる。
【００２６】
カバー部材５３は、後面が開放された略箱状に形成され、第１排出口５１ａおよび第２排出口５１ｂおよび普通入賞口５２ａの上下左右および前方を囲むようにベース部材５１の前面に取り付けられている。カバー部材５３の上面には、上下に貫通して遊技球が通過可能な第１流入口５３ａおよび第２流入口５３ｂが左右に並んで形成されている。第１流入口５３ａは、普通入賞口５２ａと上下に対向する位置に形成され、普通入賞口５２ａと連通するようになっている。
【００２７】
カバー部材５３の前面には、前後に貫通した開口部５３ｃが形成され、この開口部５３ｃを覆う板状のプレート部材５６がカバー部材５３の前面内側に設けられている。プレート部材５６は、透明もしくは半透明の材料を用いて形成されている。カバー部材５３の内部には、第１流入口５３ａ（普通入賞口５２ａ）および第２流入口５３ｂからカバー部材５３の内部空間に流入した遊技球を第１排出口５１ａに導くガイド部材５７が設けられている。このガイド部材５７も、プレート部材５６と同様に透明もしくは半透明の材料を用いて形成されている。そのため、カバー部材５３は、外部から開口部５３ｃ、プレート部材５６およびガイド部材５７を介してカバー部材５３の内部（ベース部材５１の第１および第２排出口５１ａ，５１ｂおよび開閉扉５４）を視認可能になっている。
【００２８】
ベース部材５１の後面には、図８に示すように、第１排出口５１ａに流入した遊技球を遊技盤１０の後面側に排出するための第１排出通路５８ａを形成する第１排出通路部材５８が第１排出口５１ａに繋がって設けられている。また、第２排出口５１ｂに流入した遊技球を遊技盤１０の後面側に排出するための第２排出通路５９ａを形成する第２排出通路部材５９が第２排出口５１ｂに繋がって設けられている。第１排出通路５８ａには、第１排出通路５８ａを通過する遊技球を検出する通過型の第１排出センサ６１が設けられている。また、第２排出通路５９ａにも、第２排出通路５９ａを通過する遊技球を検出する通過型の第２排出センサ６２が設けられている。第１排出通路５８ａおよび第２排出通路５９ａは、第１および第２排出センサ６１，６２よりも下流側（第１および第２排出口５１ａ，５１ｂから離れた側）において一つの排出通路となるように合流されている。
【００２９】
［普通入賞装置の作用］
次に、このように構成される普通入賞装置５０の作用について、図３、図４、図６および図９を用いて説明する。発射機構により遊技盤１０の遊技領域ＰＡに打ち出された遊技球は、遊技領域ＰＡに設けられた多数本の遊技釘や風車等により落下方向を変更されながら遊技領域ＰＡ内を落下し、始動入賞装置１５、大入賞装置１６および普通入賞装置５０のいずれかに入賞（落入）するか、遊技盤１０の下端部に設けられたアウト口１２に流入する。
【００３０】
普通入賞装置５０では、遊技釘によって導かれた遊技球がカバー部材５３の第１流入口５３ａおよび第２流入口５３ｂのいずれ一方から流入可能になっている。第１流入口５３ａから流入する遊技球は、普通入賞センサ５２の普通入賞口５２ａを通り、カバー部材５３の内部空間に流入する。普通入賞センサ５２は、普通入賞口５２ａを通過した遊技球を検出すると、主制御基板４１に普通入賞信号を送信し、上述のように賞球払出ユニット３４により所定数の遊技球（賞球）が払い出される。一方、第２流入口５３ｂから流入する遊技球は、普通入賞センサ５２により入賞として検出されることなく（普通入賞口５２ａを通ることなく）、カバー部材５３の内部空間に流入する。
【００３１】
このように第１流入口５３ａもしくは第２流入口５３ｂからカバー部材５３の内部空間に流入した遊技球はいずれも、第１排出口５１ａおよび第２排出口５１ｂのいずれか一方から遊技盤１０の後面側に遊技済み球として排出される。第２排出口５１ｂには開閉扉５４が設けられているため、開閉扉５４によって第２排出口５１ｂが閉鎖されているとき（通常遊技状態のとき）には、カバー部材５３の内部空間に流入した遊技球は、図９（ａ）に示すように、ガイド部材５７によって第１排出口５１ａに導かれ、第１排出通路５８ａを通って遊技盤１０の後面側に排出される。第１排出通路５８ａを通って排出される遊技球は、第１排出センサ６１によって検出される。第１排出センサ６１は、遊技球の通過を検出すると、主制御基板４１に第１排出球信号を送信するようになっている。
【００３２】
一方、開閉扉５４は、始動入賞装置１５に遊技球が入賞したことを契機として行われる抽選の結果が大当たりとなって特別遊技状態が成立したときに、大入賞装置１６の開閉部材と連動して（例えば、大入賞装置１６の開閉部材と同時もしくは交互に）、駆動機構５５により前方に揺動されて第２排出口５１ｂを開放する。このとき、カバー部材５３の内部空間に流入した遊技球は、図９（ｂ）に示すように、開閉扉５４に受け止められて第２排出口５１ｂに導かれ、第２排出通路５９ａを通って遊技盤１０の後面側に排出される。第２排出通路５９ａを通って排出される遊技球は、第２排出センサ６２によって検出される。第２排出センサ６２は、遊技球の通過を検出すると、主制御基板４１に第２排出球信号を送信するようになっている。
【００３３】
このとき、主制御基板４１では、第２排出センサ６２から第２排出球信号を受信すると、演出制御基板４２に演出制御信号を送信して、演出制御基板４２により画像表示、効果照明、効果音等による所定の演出制御が行われるようになっている。なお、第２排出センサ６２から演出制御基板４２に第２排出球信号を直接送信して、上記所定の演出制御を行うようにしてもよい。
【００３４】
また、主制御基板４１は、第１排出センサ６１からの第１排出球信号および第２排出センサ６２から第２排出球信号の他に、発射機構により打ち出された遊技球を検出する発射センサからの発射球信号、および、発射機構により打ち出されたものの遊技盤１０の遊技領域ＰＡ内に到達できなかった遊技球（ファール球）を検出するファールセンサからのファール球信号も受信するようになっている。さらに、始動入賞口１５に入賞した遊技球を検出する始動入賞センサからの始動入賞球信号、大入賞口１６に入賞した遊技球を検出する大入賞センサからの大入賞球信号、および、アウト口１２から排出される遊技球（アウト球）を検出するアウト口センサからのアウト球信号も受信するようになっている。そして、主制御基板４１では、これらの受信信号に基づいて、遊技盤１０の遊技領域ＰＡ内に到達した遊技球の数と、始動入賞装置１５、大入賞装置１６、普通入賞装置５０およびアウト口１２のいずれかに流入して遊技盤１０の後面側に排出される遊技球の合計数とを比較する。そして、その差が所定数以上の場合には、遊技領域ＰＡ内における球詰まり、センサ等の故障、もしくは何らかの不正行為が行われている可能性があると判断して、画像表示、効果照明、効果音等による所定の警報作動が行われるようになっている。
【００３５】
以上、本実施形態に係る普通入賞装置５０によれば、カバー部材５３の内部空間に流入した遊技球は、開閉扉５４によって第２排出口５１ｂが閉鎖されているとき（通常遊技状態のとき）には、ガイド部材５７によって第１排出口５１ａに導かれ、第１排出通路５８ａを通って遊技盤１０の後面側に排出される。一方、開閉扉５４によって第２排出口５１ｂが開放されているとき（特別遊技状態のとき）には、カバー部材５３の内部空間に流入した遊技球は、開閉扉５４に受け止められて第２排出口５１ｂに導かれ、第２排出通路５９ａを通って遊技盤１０の後面側に排出されるように構成されている。そして、この開閉扉５４の開閉作動は、カバー部材５３の開口部５３ｃ、透明もしくは半透明のプレート部材５６およびガイド部材５７を介して外部から視認可能に構成されている。そのため、開閉扉５４によって第２排出口５１ｂを開放させることにより、通常遊技状態とは異なる演出を行うことができ、これにより普通入賞装置５０に対する遊技者の関心を高めることができる。
【００３６】
また、普通入賞口５２ａと連通する第１流入口５３ａの側方位置に第２流入口５３ｂが設けられており、第２流入口５３ｂからでもカバー部材５３の内部空間に流入可能になっている。第２流入口５３ｂから流入した遊技球は入賞球としては検出されないが、第２流入口５３ｂから流入した遊技球も、開閉扉５４によって第２排出口５１ｂが開放されているときには開閉扉５４に受け止められて第２排出口５１ｂに導かれるため、通常遊技状態とは異なる演出に用いることができる。
【００３７】
また、第１排出口５１ａから排出される遊技球を検出する第１排出センサ６１、および第２排出口５１ｂから排出される遊技球を検出する第２排出センサ６２が設けられている。そのため、第１および第２排出センサ６１，６２からの検出信号を用いて、上述のように演出制御や警報作動を行うことができる。
【００３８】
また、開閉扉５４は、始動入賞装置１５に遊技球が入賞したことを契機として行われる抽選の結果が大当たりとなって特別遊技状態が成立したときに、大入賞装置１６の開閉部材と連動して（例えば、大入賞装置１６の開閉部材と同時もしくは交互に）、第２排出口５１ｂを開放するようになっている。そのため、普通入賞装置５０においても、第２排出口５１ｂに遊技球が入ることにより、大入賞装置１６（大入賞口）への入賞と同様に、利益が得られるのではないかと遊技者に期待感を持たせることができ、遊技者の関心をさらに高めることができる。
【００３９】
なお、本発明は、上記実施形態に限定されるものではなく、本発明の要旨を逸脱しない範囲であれば適宜改良可能である。例えば、上述の実施形態では、開閉扉５４は、抽選の結果が大当たりとなって特別遊技状態が成立したときに、大入賞装置１６の開閉部材と連動して、第２排出口５１ｂを開放する構成について説明したが、開閉扉５４は大入賞装置１６の開閉部材と連動して開閉するようにしなくてもよい。開閉扉５４の開閉作動は種々の契機において行うようにしてもよい。
【００４０】
また、上述の実施形態において、普通入賞装置５０がレール部材に隣接して設けられると説明したが、普通入賞装置５０は遊技領域ＰＡ内のいずれの位置に設けられてもよい。また、上述の実施形態では、本発明が適用される弾球遊技機の一例として、ぱちんこ遊技機を例示して説明したが、これに限られるものではなく、例えば、アレンジボール、雀球遊技機などについても同様に適用し、同様の効果を得ることができる。
【符号の説明】
【００４１】
ＰＭ  ぱちんこ遊技機（弾球遊技機）
ＰＡ  遊技領域
１０  遊技盤
５０  普通入賞装置（入賞装置）
５２  普通入賞センサ（入賞検出器）
５２ａ  普通入賞口（入賞口）
５１  ベース部材
５１ａ  第１排出口
５１ｂ  第２排出口
５３  カバー部材（誘導部材）
５３ａ  第１流入口
５３ｂ  第２流入口（流入口）
５４  開閉扉（開閉部材）
５７  ガイド部材（誘導部材）
６１  第１排出センサ（第１排出球検出器）
６２  第２排出センサ（第２排出球検出器）
【図１】
2015208432.tif 000003
【図２】
2015208432.tif 000004
【図３】
2015208432.tif 000005
【図４】
2015208432.tif 000006
【図５】
2015208432.tif 000007
【図６】
2015208432.tif 000008
【図７】
2015208432.tif 000009
【図８】
2015208432.tif 000010
【図９】
2015208432.tif 000011